(57)【要約】      （修正有）【課題】環境温度変化の影響も考慮に入れて温度測定値を測定対象の実際温度から大きく外れることなく精度良く測定することができるとともに、危険に至る温度を検知した時直ちに警報を出すことができる温度測定装置を提供する。【解決手段】内部に連通した第１の開孔と第２の開孔を有するケーシングと、前記第１の開孔を介して測定対象の温度を測定するように前記ケーシング内に設けられた第１のセンサーと、前記第２の開孔を介して周囲環境の温度を測定するよう前記ケーシング内に設けられた第２のセンサーと、且つ前記第１のセンサーからの測定対象の温度と前記第２のセンサーからの周囲環境の温度に基づいて実際温度を算出するよう前記ケーシング内に設けられた制御ユニットと、前記実際温度が所定温度に到達した時に、前記制御ユニットにより制御されて警報信号を出力するよう前記ケーシング内に設けられたアラーム手段とを備えていることを特徴とする。【選択図】図１
2008139183.tif 000002
【特許請求の範囲】
【請求項１】
内部に連通した第１の開孔と第２の開孔を有するケーシングと、
前記第１の開孔を介して測定対象の温度を測定するように前記ケーシング内に設けられた第１のセンサーと、
前記第２の開孔を介して周囲環境の温度を測定するよう前記ケーシング内に設けられた第２のセンサーと、
それぞれ前記第１のセンサーと前記第２のセンサーの前記測定を行うよう制御し、且つ前記第１のセンサーからの測定対象の温度と前記第２のセンサーからの周囲環境の温度に基づいて実際温度を算出するよう前記ケーシング内に設けられた制御ユニットと、
前記実際温度が所定温度に到達した時に、前記制御ユニットにより制御されて警報信号を出力するよう前記ケーシング内に設けられたアラーム手段とを備えていることを特徴とする温度測定装置。
【請求項２】
前記制御ユニットにより制御され、前記測定対象が前記第１のセンサーが確実に前記第１の開孔を介して前記測定を行える位置にしないことを検出するように前記ケーシング内に設けられた検出器を更に備え、
また、前記検出器によって、前記測定対象が前記第１のセンサーが確実に前記第１の開孔を介して前記測定を行える位置にないことを検出した時に、前記アラーム手段が前記制御ユニットにより制御されて報知信号を出力することを特徴とする請求項１に記載の温度測定装置。
【請求項３】
前記検出器としては、光検出素子が使用されていることを特徴とする請求項２に記載の温度測定装置。
【請求項４】
前記検出器としては、静電容量検出素子が使用されていることを特徴とする請求項２に記載の温度測定装置。
【請求項５】
前記第１の開孔と前記第２の開孔は、それぞれ前記ケーシングにおける背中合わせの２面にあることを特徴とする請求項１に記載の温度測定装置。
【請求項６】
前記第１の開孔がある面と前記第１のセンサーとの間に前記第１の開孔を密封する第１のパッキングが挟まれ、
また、前記第２の開孔がある面と前記第２のセンサーとの間に前記第２の開孔を密封する第２のパッキングが挟まれていることを特徴とする請求項５に記載の温度測定装置。
【請求項７】
前記制御ユニットは、回路基板と、前記回路基板に設けられた前記回路基板の回路を開閉するためのスイッチとからなり、
前記第２の開孔がある面には前記スイッチに対応して内部に連通した第３の開孔を更に有し、
また、前記第２のパッキングは、前記第３の開孔を密封するとともに、弾性変形して前記スイッチをＯＮにさせることができる突起を有するように形成されていることを特徴とする請求項６に記載の温度測定装置。
【請求項８】
前記制御ユニットは、測定対象毎に個別情報を更新可能に格納するための記憶手段を有することを特徴とする請求項１に記載の温度測定装置。
【請求項９】
前記記憶手段には、前記個別情報毎に対応する温度補正データが登録され、
前記制御ユニットは、前記第１のセンサーからの測定対象の温度を該測定対象の個別情報に対応する温度補正データによって補正して得た温度と前記第２のセンサーからの周囲環境の温度に基づいて実際温度を算出することを特徴とする請求項８に記載の温度測定装置。
【請求項１０】
前記アラーム手段として、少なくともＬＥＤ素子、ブザー及び振動機構のいずれか１つが使用されていることを特徴とする請求項１に記載の温度測定装置。
【請求項１１】
前記制御ユニットには、無線通信によって前記算出された実際温度を外部に送信するための送信手段を更に備えていることを特徴とする請求項１または９に記載の温度測定装置。
【請求項１２】
前記制御ユニットには、前記算出された実際温度を表示するための表示手段を更に備えていることを特徴とする請求項１または９に記載の温度測定装置。
【請求項１３】
前記制御ユニットは、タイマーを有し、
また、前記制御ユニットにより前記タイマーからの現在時刻を前記表示手段に表示させることができるように構造されていることを特徴とする請求項１２に記載の温度測定装置。
【請求項１４】
前記第１のセンサーと前記第２のセンサーとして、いずれも温度センサーＩＣが使用されていることを特徴とする請求項１に記載の温度測定装置。
【発明の詳細な説明】
【技術分野】
【０００１】
本発明は、温度測定装置に関し、特に測定対象の実際温度を精度良く測定することができる温度測定装置に関する。
【背景技術】
【０００２】
近年、環境保全のために、従来広く使われていた水銀温度計に代わり、電子温度計がだんだん普及してきている傾向が見られる。この電子温度計としては、図５に示すような例がある（特許文献１）。
【０００３】
文献１によれば、この電子温度計は、ペン型のケーシング５００内に測定用の回路５１が設けられ、その表面には温度値を示すためのＬＣＤディスプレー５２及びスイッチ５３が設けられ、更にその前端に温度を測るための電子センサー５４１が内蔵したプローブ５４が形成されている。使用するときに、プローブ５４を人体皮膚、水などの測定対象に当て温度を測定し、ＬＣＤディスプレー５２からその温度値を読取ることができる。
【０００４】
しかしながら、前記従来の電子温度計では、当時周囲の環境（例えば冷暖房）による影響により、得た温度値は測定対象の実際体温から大きく外れたりする問題がある。また、測定対象の実際体温が正しく測定できないため、実際体温から大きく外れて警告すべき低温または高温を検知できず素早く適応した処置を取ることができないなどの問題をもたらす。
【特許文献１】台湾実用新案公開３３５８９９号公報
【発明の開示】
【発明が解決しようとする課題】
【０００５】
本発明は、前記欠点に鑑みてなされたものであり、環境温度変化の影響も考慮に入れて温度測定値を測定対象の実際温度から大きく外れることなく精度良く測定することができるとともに、危険な温度を検知した時直ちに警報を出すことができる温度測定装置を提供することを目的とする。
【課題を解決するための手段】
【０００６】
前記目的を達成するために、本発明は、内部に連通した第１の開孔と第２の開孔を有するケーシングと、前記第１の開孔を介して測定対象の温度を測定するように前記ケーシング内に設けられた第１のセンサーと、前記第２の開孔を介して周囲環境の温度を測定するよう前記ケーシング内に設けられた第２のセンサーと、それぞれ前記第１のセンサーと前記第２のセンサーの前記測定を行うよう制御し、且つ前記第１のセンサーからの測定対象の温度と前記第２のセンサーからの周囲環境の温度に基づいて実際温度を算出するよう前記ケーシング内に設けられた制御ユニットと、前記実際温度が所定温度に到達した時に、前記制御ユニットには警報信号を出力するように前記ケーシング内に設けられたアラーム手段とを備えていることを特徴とする温度測定装置を提供する。
【０００７】
また、前記制御ユニットには、前記測定対象が前記第１のセンサーが確実に前記第１の開孔を介して前記測定を行える位置にないことを検出するように前記ケーシング内に設けられた検出器を更に備え、また、前記検出器によって、前記測定対象が前記第１のセンサーが確実に前記第１の開孔を介して前記測定を行える位置にないことを検出した時に、前記アラーム手段が前記制御ユニットにより制御されて報知信号を出力することが望ましい。
【０００８】
前記検出器としては、光検出素子が使用されてもよく、静電容量検出素子が使用されてもよい。
【０００９】
前記構成してなる温度測定装置において、前記第１の開孔と前記第２の開孔は、それぞれ前記ケーシングにおける背中合わせの２面にあるようにすることが好ましい。
【００１０】
前記第１の開孔がある面と前記第１のセンサーとの間に前記第１の開孔を密封する第１のパッキングが挟まれ、また、前記第２の開孔がある面と前記第２のセンサーとの間に前記第２の開孔を密封する第２のパッキングが挟まれていることが好ましい。
【００１１】
前記制御ユニットは、回路基板と、前記回路基板に設けられた前記回路基板の回路を開閉するためのスイッチとからなり、前記第２の開孔がある面には前記スイッチに対応して内部に連通した第３の開孔を更に有し、また、前記第２のパッキングは、前記第３の開孔を密封するとともに、弾性変形して前記スイッチをＯＮにさせることができる突起を有するように形成されているようにしてもよい。
【００１２】
前記制御ユニットは、測定対象毎に個別情報を更新可能に格納するための記憶手段を有し、前記記憶手段には、前記個別情報毎に対応する温度補正データが登録され、前記制御ユニットは、前記第１のセンサーからの測定対象の温度を該測定対象の個別情報に対応する温度補正データによって補正して得た温度と前記第２のセンサーからの周囲環境の温度に基づいて実際温度を算出するようにしてもよい。
【００１３】
前記アラーム手段として、ＬＥＤ素子、ブザー及び振動機構のいずれかを使用することができる。
【００１４】
前記制御ユニットには、無線通信によって前記算出された実際温度を外部に送信するための送信手段を更に備えていることが好ましい。
【００１５】
前記制御ユニットには、前記算出された実際温度を表示するための表示手段を更に備えていることが好ましい。
【００１６】
前記制御ユニットは、タイマーを有し、また、前記制御ユニットにより前記タイマーからの現在時刻を前記表示手段に表示させることができるように構造されているようにしてもよい。
【００１７】
前記第１のセンサーと前記第２のセンサーとして、いずれも温度センサーＩＣが使用されることができる。
【発明の効果】
【００１８】
本発明の温度測定装置によれば、測定対象の温度を測定するだけでなく、周囲環境の温度をも測定し、測定対象の温度と周囲環境の温度に基づいて実際温度を算出するようにするため、環境の温度変化をも考慮に入れて測定対象からの温度値を精度よく把握することができる。また、アラーム手段により、前記実際温度が所定温度に到達した時に警報信号を出力することができるので、測定対象に対する注意を喚起し、早期適切な措置を取ることができる。
【発明を実施するための最良の形態】
【００１９】
以下、図面を参照して本発明にかかる温度測定装置の好適な実施形態を詳述する。
【００２０】
図１は、本発明の一実施形態の温度測定装置の分解斜視図である。図２は、前記実施形態の温度測定装置の概略構成を示すブロック図である。この温度測定装置は人体、水などの測定対象に当て温度を測定するためのものである。本実施形態は、人体の腕に当て温度を測定する例を挙げて説明する。
【００２１】
図１に示すように、主としてケーシング１０と、第１のセンサー３１と、第２のセンサー３２と、制御ユニット２０と、検出器３３と、アラーム手段４０と、送信手段５０と、表示手段６０とを備えている。
【００２２】
ケーシング１０は、上下２部分１２、１１から上下互いに合わさるように構成されており、それぞれ下部分１１の底面１４に内部に連通した第１の開孔１４０、上部分１２の上面１５に内部に連通した第２の開孔１５０、第３の開孔１５１が設けられている。
【００２３】
第１のセンサー３１は、温度センサーＩＣ（米国Ａｎａｌｏｇ  Ｄｅｖｉｃｅｓ社、品番ＡＤＴ７３０１）が使用され、第１の開孔１４０を介して測定対象の温度を測定するようにケーシング１０内に設けられている。
【００２４】
また、ケーシング１０の下部分１１の底面１４と第１のセンサー３１との間に第１の開孔１４０を密封する第１のパッキング１７が挟まれている。
【００２５】
第２のセンサー３２は、温度センサーＩＣ（米国Ａｎａｌｏｇ  Ｄｅｖｉｃｅｓ社、品番ＡＤＴ７３０１）が使用され、第２の開孔１５０を介して周囲環境の温度を測定するようにケーシング１０内に設けられている。
【００２６】
また、ケーシング１０の上部分１２の上面１５と第２のセンサー３２との間に第２の開孔１５０、第３の開孔１５１を密封するとともに、突起１８１を有するように形成される第２のパッキング１８が挟まれている。
【００２７】
なお、前記パッキング１７、１８は、ケーシング１０内の部品を水や塵埃から守るためのものであり、第１のセンサー３１と、第２のセンサー３２と検出器３３などの作動を妨げないように極めて薄く形成されている。
【００２８】
制御ユニット２０は、ケーシング１０内に設けられ、主に電源としての電池２３と、回路基板２１と、回路基板２１に設けられた回路基板２１の回路を開閉するためのスイッチ２２と、回路基板２１に電気接続したマイクロコントローラ２６と、回路基板２１に電気接続した記憶手段２５と、タイマー２７とからなっている。
【００２９】
測定をしようとする時に、使用者が突起１８１を押圧し、該突起１８１が弾性変形してスイッチ２２をＯＮにさせることができる。
【００３０】
記憶手段２５は、測定対象毎に名前、性別、身分証明書番号、電話番号、住所、年齢、診療記録などの個別情報を更新可能に格納し、前記個別情報における年齢毎に対応する温度補正データを登録している。この実施形態において、記憶手段２５としては、ＳＰＩ  Ｓｅｒｉａｌ  ＥＥＰＲＯＭＳ（米国Ａｔｍｅｌ社、品番ＡＴ２５３２０）が使用されている。
【００３１】
また、マイクロコントローラ２６（米国Ｔｅｘａｓ  Ｉｎｓｔｒｕｍｅｎｔｓ社、品番ＭＳＰ４３０Ｆ２１３１）は、第１のセンサー３１と第２のセンサー３２をそれぞれの前記測定を行うよう制御し、且つ第１のセンサー３１からの測定対象の温度を該測定対象の年齢に対応する温度補正データによって補正して得た温度と第２のセンサー３２からの周囲環境の温度に基づいて実際温度を算出するように構成されている。
【００３２】
本実施形態において、前記温度補正データとしては、２０〜５０才の青壮年の体温を基準とするので、それぞれ２０〜５０才に対応して０℃、０〜１９才に対応して−０．２℃、５０才以上に対応して＋０．２℃という補正値を使用する。
【００３３】
検出器３３は、マイクロコントローラ２６により制御され、測定対象が第１のセンサー３１が確実に第１の開孔１４０を介して前記測定を行える位置にないことを検出するようにケーシング１０内に設けられている。
【００３４】
この実施形態において、検出器３３としては、光検出素子が使用されているが、静電容量検出素子が使用されてもよい。
【００３５】
アラーム手段４０は、ＬＥＤ素子４１とブザー４２とからなり、マイクロコントローラ２６により制御されて実際温度が所定温度に到達した時にＬＥＤ素子４１からの連続発光及びブザー４２からの連続音声としての警報信号を、検出器３３によって測定対象が第１のセンサー３１が確実に第１の開孔１４０を介して前記測定を行える位置にないことを検出した時にＬＥＤ素子４１からの断続発光及びブザー４２からの断続音声としての報知信号を出力するようにケーシング１０内に設けられている。本実施形態では、アラーム手段４０として、ＬＥＤ素子４１、ブザー４２が使用されているが、他に例えば振動機構なども使用することができ、即ち異常を通報したり注意を喚起したりすることができれば使用することができる。
【００３６】
送信手段５０は、マイクロコントローラ２６により制御されて無線通信方式によって前記算出された実際温度を外部の例えばナースステーションの情報処理端末に送信することができる。この実施形態において、送信手段５０としては、ＲＦ  ＩＣ（ノルウエーＣｈｉｐｃｏｎ社、品番ＣＣ２５００）が使用されている。
【００３７】
表示手段６０は、マイクロコントローラ２６により制御されて前記算出された実際温度を表示するためのものであり、ここでＬＣＤが使用されている。
【００３８】
また、マイクロコントローラ２６は、タイマー２７を有し、且つ該タイマー２７からの現在時刻を表示手段６０に表示させることができるように構成されている。
【００３９】
なお、図１に示すように、ケーシング１０の下部分１１に留め部材１３、１３が設けられ、前記留め部材１３、１３とバンド（図示せず）などとの組合せで腕時計のように人体の腕に装着されて連続的に測定することが可能となる。
【００４０】
以上、本発明の好適な実施形態について説明したが、本発明は前記実施形態に限定して狭義に解釈されるものではなく、即ち本発明の思想の範囲内において種々の変形や変更が可能である。
【産業上の利用可能性】
【００４１】
以上説明したように、本発明の温度測定装置は、測定対象の温度を測定するだけでなく、周囲環境の温度をも測定し、測定対象の温度と周囲環境の温度に基づいて実際温度を算出するようにするため、環境の温度変化をも考慮に入れて測定対象からの温度値を精度よく把握することができる。また、アラーム手段により、前記実際温度が所定温度に到達した時に警報信号を出力することができるので、測定対象に対する注意を喚起し、早期適切な措置を取ることができる。
【図面の簡単な説明】
【００４２】
【図１】本発明の一実施形態の温度測定装置の分解斜視図。
【図２】前記実施形態の温度測定装置の概略構成を示すブロック図。
【図３】前記実施形態の温度測定装置の上面図。
【図４】図３におけるIV−IV線に沿う断面図。
【図５】従来の温度測定装置の一例の断面図。
【符号の説明】
【００４３】
１０    ケーシング
１１    下部分
１２    上部分
１３    留め部材
１４    底面
１５    上面
１４０  第１の開孔
１５０  第２の開孔
１５１  第３の開孔
１７    第１のパッキング
１８    第２のパッキング
１８１  突起
２０    制御ユニット
２１    回路基板
２３    電池
２２    スイッチ
２５    記憶手段
２６    マイクロコントローラ
２７    タイマー
３１    第１のセンサー
３２    第２のセンサー
３３    検出器
４０    アラーム手段
４１    ＬＥＤ素子
４２    ブザー
５０    送信手段
６０    表示手段
【図１】
2008139183.tif 000003
【図２】
2008139183.tif 000004
【図３】
2008139183.tif 000005
【図４】
2008139183.tif 000006
【図５】
2008139183.tif 000007